(57)【要約】      （修正有）【課題】帽子本体が型崩れするのを防止して帽子本体を長期間に亘り当初（本来）のピラミッド形状を維持させることができる帽子を提供する。【解決手段】発泡樹脂材で全体の外形を略四角錐形状に形成し、内部全体を中空に形成した中空内部１１を有する帽子本体１を備える。帽子本体１の中空内部１１の壁面は略正四角錐形状に形成し、中空内部１１の頂部に所望の大きさ、かつ、所望形状の水晶その他のクオーツ２を取付けて設ける。帽子本体１の中空内部１１の内壁面を補強材３で補強し、底部に頭部Ａに嵌合する装着用の嵌合部４を備える。【選択図】図５
0003212550.tif 000002
【実用新案登録請求の範囲】
【請求項１】
発泡樹脂材で全体の外形を略正四角錐形状に形成し、内部全体を中空に形成した中空内部を有する帽子本体を備え、
前記本体の前記中空内部の壁面は略正四角錐形状に形成され、
前記本体の前記中空内部の頂部には、所望の大きさ、かつ、所望形状の水晶その他のクオーツが取付けて設けられ、
前記本体の前記中空内部の内壁面は補強材で補強され、
前記本体は底部に装着用の嵌合部を備えている
ことを特徴とする帽子。
【請求項２】
前記本体は、前記本体の底部全体を開口して形成した開口底部を有し、前記嵌合部は前記開口底部で構成されていることを特徴とする請求項１に記載の帽子。
【請求項３】
前記本体は、前記本体の底部に設けた底壁部を有し、前記底壁部の略中央部には頭部に嵌合する略円形状の嵌合孔が形成され、前記嵌合部は前記嵌合孔で構成されていることを特徴とする請求項１に記載の帽子。
【請求項４】
前記本体は、前記本体の略正四角錐形状を形成した略三角形状の各壁部の底縁から、前記各壁部の底縁に形成した折り線に沿わせて折り曲げ可能に延設した折り返し壁部を備え、
前記底壁部は、前記各折り返し壁部を前記本体の内側方向へ折り返して隣接する前記各折り返し壁部同士をホックその他の留め具で係脱可能に係着して構成され、
前記略円形状の前記嵌合孔は、前記各折り返し壁部の先端縁に形成されていることを特徴とする請求項３に記載の帽子。
【請求項５】
前記嵌合孔の周縁部に一定間隔で所望数の切り線を放射状方向に形成して前記嵌合孔の周縁部に弾性的に折り曲げ可能な所望数の挟持片を設けたことを特徴とする請求項３又は４に記載の帽子。
【考案の詳細な説明】
【技術分野】
【０００１】
本考案は、頭部に着用する帽子に関する。
【背景技術】
【０００２】
従来より、未知なるエネルギーとしてピラミッドパワーが一般に知られている。しかし、ピラミッドパワーの実体については未だ解明されていない。本出願人は、ピラミッドパワーに着目し、発泡ポリエチレン等の発泡樹脂材で形成したピラミッド形の帽子を開発した。この帽子は、全体を略四角錐形状の箱形に形成したピラミッド形の帽子本体の底面中央部に頭部に嵌合して係止する係止孔を設け、頭部に嵌合して着用するように構成したものである（特許文献１参照）。
【０００３】
特許文献１に記載の発明（以下「先行発明」という）によれば、安全かつ着用時に頭部への負担が少なく、優れた意匠美を有する帽子を提供できる。
【０００４】
しかるに、一方において、先行発明は次のような改良を加えるべき余地が残されている。即ち、先行発明は発泡ポリエチレン等の発泡樹脂材でピラミッド形（略略四角錐形状）の帽子本体を構成している。そのため、前記本体を構成した略三角形状の各壁部は腰が弱くなる傾向にあり、その結果、前記本体の前記壁部が主に凹状に湾曲する等、型崩れを起し易く、当初（本来）の形状を失って見栄が悪くなる問題を有していることが判明した。
【０００５】
上記の場合において、帽子本体を例えば硬質のプラスチック板等で構成することにより、上記した型崩れの問題を解消することが考えられる。しかし、この構成によると、例えば帽子本体の角部等で身体を損傷する問題が発生する等のおそれがある。
【先行技術文献】
【特許文献】
【０００６】
【特許文献１】特開２００３−１８３９２２号公報
【考案の概要】
【考案が解決しようとする課題】
【０００７】
本考案は上記したような実情に鑑みてなされたもので、先行発明の有する特長はそのまま活用し、先行発明の上述した型崩れの問題を解消して、帽子本体を長期間に亘り当初の本来の形状に維持させることができる帽子を提供することを目的とするものである。
【課題を解決するための手段】
【０００８】
上記目的を達成するため、本考案のうち１つの考案（第１の考案）は、発泡樹脂材で全体の外形を略正四角錐形状に形成し、内部全体を中空に形成した中空内部を有する帽子本体を備え、
前記本体の前記中空内部の壁面は略正四角錐形状に形成され、
前記本体の前記中空内部の頂部には、所望の大きさ、かつ、所望形状の水晶その他のクオーツが取付けて設けられ、
前記本体の前記中空内部の内壁面は補強材で補強され、
前記本体は底部に装着用の嵌合部を備えていることを特徴とする。
【０００９】
本考案の他の１つの考案（第２の考案）は、第１の考案の帽子において、前記本体は、前記本体の底部全体を開口して形成した開口底部を有し、前記嵌合部は前記開口底部で構成されていることを特徴とする。
【００１０】
本考案のさらに他の１つの考案（第３の考案）は、第１の考案の帽子において、前記本体は、前記本体の底部に設けた底壁部を有し、前記底壁部の略中央部には頭部に嵌合する略円形状の嵌合孔が形成され、前記嵌合部は前記嵌合孔で構成されていることを特徴とする。
【００１１】
本考案のさらに他の１つの考案（第４の考案）は、第３の考案の帽子において、前記本体は、前記本体の略正四角錐形状を形成した略三角形状の各壁部の底縁から、前記各壁部の底縁に形成した折り線に沿わせて折り曲げ可能に延設した折り返し壁部を備え、
前記底壁部は、前記各折り返し壁部を前記本体の内側方向へ折り返して隣接する前記各折り返し壁部同士をホックその他の留め具で係脱可能に係着して構成され、
前記略円形状の前記嵌合孔は、前記各折り返し壁部の先端縁に形成されている
ことを特徴とする。
【００１２】
本考案のさらに他の１つの考案（第５の考案）は、第３及び第４の考案の帽子において、前記嵌合孔の周縁部に一定間隔で所望数の切り線を放射状方向に形成して前記嵌合孔の周縁部に弾性的に折り曲げ可能な所望数の挟持片を設けたことを特徴とする。
【考案の効果】
【００１３】
本考案によれば、次のような作用効果を奏する。
（１）先行発明の有する上述した作用効果を発揮する帽子を提供できる。
（２）帽子本体の内壁面は補強材で補強されているので、帽子本体の型崩れを防止して、長期間に亘り当初（本来）の形状に維持させることができる。
（３）帽子に水晶パワーその他のクオーツパワーによる心理的効果を具備させることができる。
【図面の簡単な説明】
【００１４】
【図１】本考案の一実施形態の帽子の構成を概略的に示す説明斜視図である。
【図２】前記帽子の構成を概略的に示す説明平面図である。
【図３】前記帽子の構成を概略的に示す説明底面図である。
【図４】前記帽子の説明縦断面図である。
【図５】前記帽子を頭部に着用した状態を示す説明図である。
【図６】本考案の他の実施形態の帽子の構成を概略的に示す図であって、同図（ａ）は説明側面図、同図（ｂ）は説明底面図である。
【図７】本考案のさらに他の実施形態の帽子の構成を概略的に示す図であって、同図（ａ）は説明側面図、同図（ｂ）は説明底面図である。
【図８】上記各実施形態の帽子に採用した補強部材の構成を概略的に示す図であって、同図（ａ）及び（ｂ）は図１ないし図５に示す帽子に採用した補強部材の構成を概略的に示す説明正面図（ａ）と説明側面図（ｂ）、同図（ｃ）及び（ｄ）は図６に示す帽子に採用した補強部材の構成を概略的に示す説明正面図（ｃ）と説明側面図、同図（ｅ）ないし（ｈ）は図７に示す帽子に採用した補強部材の構成を概略的に示す正面図（ｅ）、（ｆ）と説明側面図（ｇ）、（ｈ）である。
【図９】本考案のさらに他の実施形態の帽子の構成を概略的に示す図であって、同図（ａ）は説明平面図、同図（ｂ）は説明底面図である。
【図１０】図９に示す帽子の説明縦断面図である。
【図１１】図９に示す帽子の説明展開底面図である。
【図１２】図９に示す帽子を頭部に着用した使用状態を示す説明図である。
【考案を実施するための形態】
【００１５】
以下、図面を参照して本考案の帽子の実施形態の一例について説明する。
【００１６】
図１ないし図５は、本考案の一実施形態（実施形態１）の帽子を示す。
【００１７】
図１ないし図５に示すように、実施形態１の１００は、全体の外形を略四角錐形状に形成した帽子本体１を備える。帽子本体１は内部全体を中空に形成した中空内部１１を備える。前記本体１の中空内部１１の壁面（前記本体１の内壁面）は、略正四角錐形状に形成されている。
【００１８】
本実施形態（実施形態１）の帽子１００は、帽子本体１の下端（底端）周縁から略水平に外側へ突設した鍔部１２を備える。
【００１９】
帽子本体１は、発泡ポリエチレン、発泡ポリウレタン、発泡スチロールその他の発泡樹脂材で構成されている。本実施形態では帽子本体１の構成素材として、発泡ポリエチレンを採用している。
【００２０】
帽子本体１は任意の成形加工方法により成形できる。例えば、板状体の素材を切断して組み立て加工（接着剤を使用）する方法を採用できるが、真空成形や射出成形により成形する方法を採用することができる。
【００２１】
前記本体１の肉厚、即ち、前記本体１の略正四角錐形状に形成した略三角形状の４つの各壁部１０、１０、１０、１０の肉厚は特に限定するものではなく、採用する発泡樹脂材の素材等により適当に設定できるものであるが、例えば約１．５ミリ〜約４ミリ程度の範囲を挙げることができる。但し、上記範囲内に限定するものではない。この点については、後述する各実施形態においても同様である。
【００２２】
本実施形態の前記本体は、上述したように構成素材として発泡ポリエチレンを採用し、真空成形により成形する方法を採用している。また、前記本体１の肉厚（前記各壁部１０の肉厚）は約２．０ミリ程度に設定して形成されている。なお、上述したように、前記本体１の成形加工方法及び本体の肉厚は一例として開示したもので、上記に限定するものではないこと勿論である。
【００２３】
前記帽子本体１の中空内部１１の頂部には、所望の大きさ、かつ、所望形状の水晶、アメジスト、タイガーズ・アイ、シトリンその他のクオーツ２が固定して取付けてある。水晶その他のクオーツ２は、強力接着剤を用いて接着し、或いは係止留材２０を使用して保持する等により取付ける。本実施形態では係止留材で取付けた例が開示されている。また、本実施形態ではクオーツ２として直径約２．０ミリ〜約２．５ミリの水晶球を採用した例が開示されている。
【００２４】
前記本体１の中空内部１１の内壁面、即ち、前記本体１の前記各壁部１０の内壁面は、補強材３で補強されている。
【００２５】
補強材３の素材は特に限定するものではないが、例えば、プラスチック製ベニヤ板、プラスチック製ダンボール、プラスチック板、厚紙等の紙材、木製板等の木材、竹材、或いはアルミ板等の軽金属板等を採用できる。
【００２６】
上述したように、補強材３の素材は特に限定するものではないが、軽量かつ目的とする補強作用を有する素材を選択することが好ましい。本実施形態では、補強材３として、セキスイ社製のプラスチック製ベニヤ（プラベニヤ）を採用している。
【００２７】
本実施形態の補強材３は、プラベニヤを図３及び図８（ａ）等に示すように、前記本体１の前記各壁部１０の略下半部の形状と対応する形状に切断して形成して補強用板材３０を構成し、この補強用板材３０を前記本体１の前記各壁部１０の略下半部における内壁面に両面粘着テープ（図示せず）等で接着固定して各壁部１０を補強した例が開示されている。これにより、各壁部１０は補強材３で補強される。
【００２８】
前記本体１は、本体１の底部に装着用の嵌合部４を備えている。本実施形態の本体１は、本体１の底部全体を開口して形成した開口底部４０を有し、前記嵌合部４は前記開口底部４０で構成されている。
【００２９】
本実施形態（実施形態１）の帽子１００は上記のように構成したもので、図５に示すように、開口底部４０で形成した嵌合部４を頭部Ａに嵌合して着用するものである。
【００３０】
実施形態１の帽子１００によれば、次のような作用効果を奏する。
（１）先行発明の有する上述した作用効果を奏する帽子を提供することができる。
（２）帽子本体の内壁面は補強材で補強されているので、帽子本体の型崩れを防止して、帽子本体の当初（本来）の形状（ピラミッド形状）を長期間に亘り整然と維持することができる。
（３）帽子にピラミッドパワー及び水晶パワーによる心理的効果を具備させることができる。
【００３１】
図６は本考案の他の実施形態（実施形態２）の帽子を示す。実施形態２の帽子２００において、実施形態１で既に説明した構成と共通する構成部等には同一符号を付して説明を省略する。この点については後述する各実施形態においても同様である。
【００３２】
実施形態２の帽子２００は、補強材３の構成に特徴がある。
【００３３】
実施形態２の帽子２００の補強材３は、帽子本体１の前記各壁部１０の下端部近くの形状と対応する所望の幅に形成した横方向の補強用板材３１ａと、この板材３１ａの略中央部から縦方向に延設した所望の幅及び長さの縦方向の補強用板材３１ｂで略Ｔ字形に形成されている。そして、前記略Ｔ字形に形成した補強材３を前記本体１の前記各壁部１０の内壁面に実施形態１と同様の接着手段で接着固定して前記各壁部１０を補強した例が開示されている。これにより、各壁部１０は前記補強材で補強される。他の構成は実施形態１と同様である。
【００３４】
実施形態２の帽子２００は上記のように構成し、実施形態１の帽子と同様に着用するものである。これにより、実施形態１と同様の作用効果を奏する。
【００３５】
図７は本考案のさらに他の実施形態（実施形態３）の帽子を示す。実施形態３の帽子３００も補強材３の構成に特徴がある。
【００３６】
実施形態３の帽子３００の補強材３は、帽子本体１の前記各壁部１０の下端部近くの形状と対応する形状に切断して形成した所望幅の第１の補強用板材３２ａと、前記本体１の高さの略中央部に位置する前記各壁部１０の形状と対応する形状に切断して形成した所望幅の第２の補強用板材３２ｂの二枚の板材３２ａ、３２ｂで構成されている。
【００３７】
そして、前記両板材３２ａ及び３２ｂを前記本体１の前記各壁部１０の内壁面における下端部近くの部位と中央部近くの部位に実施形態１と同様の接着手段で接着固定して前記各壁部１０を補強するように構成されている。これにより、各壁部１０は第１及び第２の補強用板材３２ａ、３２ｂによる補強材３で補強される。他の構成は実施形態１と同様である。
【００３８】
実施形態３の帽子３００は上記のように構成し、実施形態１の帽子と同様で着用するものである。これにより、実施形態１と同様の作用効果を奏する。
【００３９】
図９ないし図１２は本考案のさらに他の実施形態（実施形態４）の帽子を示す。実施形態４の帽子４００は、帽子本体１の底部に底壁部を設け、前記底壁部の略中央部に嵌合部４を設けた構成に特徴がある。
【００４０】
実施形態４の帽子４００は、帽子本体１の底部に設けた底壁部５を有し、底壁部５の略中央部には、頭部Ａに嵌合する略円形状の嵌合孔４１が形成され、前記嵌合部４は前記嵌合孔４１で構成されている。
【００４１】
実施形態４の帽子４００の帽子本体１は、前記本体１の略四角錐形状を形成した略三角形状の前記各壁部の底縁から、前記各壁部の底縁に形成した折り線５１…５１（図１１参照）に沿わせて折り曲げ可能に延設した折り返し壁部５０、５０、５０、５０を備える。そして、前記底壁部５は、前記各折り返し壁部５０を前記本体１の内側方向へ折り返すと共に隣接する各折り返し壁部同士をホックその他の留め具５２で係脱可能に係着して構成されている。
【００４２】
実施形態４では、留め具５２としてホックを採用している。そして、ホックの一方のホック部５２ａ（雄ホック又は雌ホック）を隣接する一方の折り返し壁部５０に固定して取付けると共にホックの他方のホック部５２ｂ（雌ホック又は雄ホック）を固定して取付け、両ホック部５２ａ及び５２ｂを係合することにより、隣接する各折り返し壁部同士を係脱可能に係着するように構成されている。
【００４３】
前記略円形状の嵌合孔４１は、前記各折り返し壁部５０の先端縁に形成されている。そして、前記嵌合部４は前記嵌合孔４１で構成されている。
【００４４】
また、前記嵌合孔４１の周縁部には一定間隔で所望数の切り線４２…４２（切り溝）を放射状方向に形成して嵌合孔４１の周縁部に弾性的に折り曲げ可能な独立した所望数の挟持片４３…４３を備えている。
【００４５】
実施形態４の帽子４００は図１２に示すように、嵌合部４を頭部Ａに嵌合して装着するものである。そして、前記狭持片４３…４３を設ける構成を採用することにより、各挟持片は着用者の頭部Ａにより押圧されて弾性的に折り曲げられて頭部の周囲を挟持するように作用する。これにより、帽子の着用者の頭部のサイズに対応して各挟持片が弾性的に変形して頭部を挟持するので、着用者の頭部のサイズが異なっていても、挟持片により調整して、帽子がズレ落ちたり、移動することなく、安定して装着することができる。
【００４６】
実施形態４の帽子４００は上記のように構成したもので、図１２に示すように、嵌合部４の嵌合孔４１を頭部Ａに嵌合して着用するものである。これにより、実施形態１の帽子と同様の作用効果を奏する。また、上記に加え上述した作用効果も発揮する。
【００４７】
なお、上記した各実施形態の帽子は一例として開示したもので、本考案は上記実施形態に限定されるものではなく、実用新案登録請求の範囲に記載の技術思想を越脱しない範囲において任意に変更可能なものである。
【符号の説明】
【００４８】
１        帽子本体
２        クオーツ
３        補強材
４        嵌合部
５        底壁部
１０      壁部
１１      中空内部
Ａ        頭部
【図１】
0003212550.tif 000003
【図２】
0003212550.tif 000004
【図３】
0003212550.tif 000005
【図４】
0003212550.tif 000006
【図５】
0003212550.tif 000007
【図６】
0003212550.tif 000008
【図７】
0003212550.tif 000009
【図８】
0003212550.tif 000010
【図９】
0003212550.tif 000011
【図１０】
0003212550.tif 000012
【図１１】
0003212550.tif 000013
【図１２】
0003212550.tif 000014
【手続補正書】
【提出日】平成29年8月3日(2017.8.3)
【手続補正１】
【補正対象書類名】明細書
【補正対象項目名】０００４
【補正方法】変更
【補正の内容】
【０００４】
しかるに、一方において、先行発明は次のような改良を加えるべき余地が残されている。即ち、先行発明は発泡ポリエチレン等の発泡樹脂材でピラミッド形（略四角錐形状）の帽子本体を構成している。そのため、前記本体を構成した略三角形状の各壁部は腰が弱くなる傾向にあり、その結果、前記本体の前記壁部が主に凹状に湾曲する等、型崩れを起し易く、当初（本来）の形状を失って見栄が悪くなる問題を有していることが判明した。
【手続補正２】
【補正対象書類名】明細書
【補正対象項目名】００２３
【補正方法】変更
【補正の内容】
【００２３】
前記帽子本体１の中空内部１１の頂部には、所望の大きさ、かつ、所望形状の水晶、アメジスト、タイガーズ・アイ、シトリンその他のクオーツ２が固定して取付けてある。水晶その他のクオーツ２は、強力接着剤を用いて接着し、或いは係止留材２０を使用して保持する等により取付ける。本実施形態では係止留材で取付けた例が開示されている。また、本実施形態ではクオーツ２として直径約２．０ｃｍ〜約２．５ｃｍの水晶球を採用した例が開示されている。